(57)【特許請求の範囲】
【請求項１】
構造物から吊り下げられ構造物側面に沿って移動される作業ケージを備え、この作業ケージに、周囲への落下や飛散を防止する養生装置を設けた養生装置付きゴンドラであって、
前記作業ケージの構造物側面側の前面を開口させて左右面および後面の三面の作業ケージからの作業範囲に、養生部材を取り付けた養生枠部材を設け、
前記作業ケージの前面に、養生部材が取り付けられ鉛直軸回りに開閉可能な一対の側部養生枠部材を設け、
前記作業ケージの前記一対の側部養生枠部材の間の下部に、水平軸回りに揺動可能な底部養生部材を設け、
これら側部養生枠部材および底部養生部材は前記作業ケージの手摺より上部に設けるとともに、前記側部養生枠部材および前記底部養生部材で囲まれる以外の前記作業ケージの前面に養生部材を取り付けたことを特徴とする養生装置付きゴンドラ。
【請求項２】
前記側部養生枠部材の先端縁部に、前記構造物側面に接して隙間をシールする弾性養生板材を設けてなることを特徴とする請求項１記載の養生装置付きゴンドラ。
【請求項３】
前記底部養生部材の先端縁部に、前記構造物側面に接して隙間をシールする弾性養生板材を設けてなることを特徴とする請求項１または２記載の養生装置付きゴンドラ。
【請求項４】
前記底部養生部材を前記水平軸直角方向に伸縮可能に構成したことを特徴とする請求項１〜３のいずれかに記載の養生装置付きゴンドラ。
【請求項５】
前記三面の養生部材の少なくともいずれかに、乗降口を開閉可能に設けてなることを特徴とする請求項１〜４のいずれかに記載の養生装置付きゴンドラ。
【請求項６】
前記作業ケージに、吊下げ用ワイヤロープの吊り点を規制する吊り点支持部材を設けて構成したことを特徴とする請求項１〜５のいずれかに記載の養生装置付きゴンドラ。
【発明の詳細な説明】
【技術分野】
【０００１】
この発明は養生装置付きゴンドラに関し、建築物などの構造物の上部から垂下したワイヤロープなどの索条を介して作業ケージから作業を行うゴンドラに、作業に伴う落下や飛散を防止する養生装置を備えることで、緊急工事などでもゴンドラの設置と同時に養生ができるようにしたものである。
【背景技術】
【０００２】
従来から、ビル、船舶、発電所、タンク、煙突、そして橋梁などの構造物の壁面の構築や補修などの高所作業を安全かつ能率的に行うためワイヤロープなどの索条で吊り下げた作業者が搭乗する作業ケージを備えたゴンドラや自動窓拭き装置などを搭載する作業ケージなどを吊り下げたゴンドラを用いることも多く、作業ケージを一定高さに設置したり、昇降機構で上下に昇降可能としたり、さらに必要に応じて上下の昇降だけでなく左右の横行も可能とすることを組み合わせて作業ケージを移動させることで広範囲の作業を行うようにしている。
【０００３】
このような作業ケージを備えるゴンドラで作業を行う場合に、作業に伴い壁面の削りくずなど固形物や塗料や洗浄液などの液体の落下や飛散を防止する必要があり、従来から養生装置が用いられている。
【０００４】
従来から使用されている養生装置としては、例えば構造物の外壁面と対向させて作業空間をあけ、養生台で底部を塞ぐとともに、ネットやシート等で外壁面全体を覆うようにしたものがある（特許文献１参照）。
【０００５】
また、作業を行う外壁面だけ覆うようにした養生装置としては、例えばゴンドラの周囲の手摺を利用して支持枠を取り付け、この支持枠にネットやシート等を取付けるようにすることも行われている（特許文献２参照）。
【特許文献１】特開平２‐３０８５１号公報
【特許文献２】特開平８−１１４０２７号公報
【発明の開示】
【発明が解決しようとする課題】
【０００６】
ところが、構造物の外壁面全体を覆うように養生台とシートやネットとを設置する養生装置では、構造物の外壁面全体をネットやシート等で覆って養生しなければならず、多くの資材を必要とするとともに、その設営や撤去に多大な時間がかるという問題がある。
【０００７】
また、ゴンドラの周囲の手摺などに取り付けた支持枠にシート等を取付けて養生する養生装置でも、構造物の外壁面全体を覆う場合に比べ簡易ではあるものの、構造物の外壁面にベランダなどが設置されて凹凸があると、構造物との間に隙間ができて完全に養生できなくなったり、養生装置がベランダなどと干渉してスムーズに昇降できなくなるなどの問題がある。
【０００８】
この発明は、上記従来技術の問題点に鑑みてなされたもので、ゴンドラの設置と同時に養生装置を設置することができ、ベランダなどの凹凸があっても確実に養生することができるとともに、ゴンドラの移動もスムーズに行うことができる養生装置付きゴンドラを提供しようとするものである。
【課題を解決するための手段】
【０００９】
上記課題を解決するためこの発明の請求項１記載の養生装置付きゴンドラは、構造物から吊り下げられ構造物側面に沿って移動される作業ケージを備え、この作業ケージに、周囲への落下や飛散を防止する養生装置を設けた養生装置付きゴンドラであって、前記作業ケージの構造物側面側の前面を開口させて左右面および後面の三面の作業ケージからの作業範囲に、養生部材を取り付けた養生枠部材を設け、前記作業ケージの前面に、養生部材が取り付けられ鉛直軸回りに開閉可能な一対の側部養生枠部材を設け、前記作業ケージの前記一対の側部養生枠部材の間の下部に、水平軸回りに揺動可能な底部養生部材を設け、これら側部養生枠部材および底部養生部材は前記作業ケージの手摺より上部に設けるとともに、前記側部養生枠部材および前記底部養生部材で囲まれる以外の前記作業ケージの前面に養生部材を取り付けたことを特徴とするものである。
【００１０】
この発明の請求項２記載の養生装置付きゴンドラは、請求項１記載の構成に加え、前記側部養生枠部材の先端縁部に、前記構造物側面に接して隙間をシールする弾性養生板材を設けてなることを特徴とするものである。
【００１１】
この発明の請求項３記載の養生装置付きゴンドラは、請求項１または２記載の構成に加え、前記底部養生部材の先端縁部に、前記構造物側面に接して隙間をシールする弾性養生板材を設けてなることを特徴とするものである。
【００１２】
この発明の請求項４記載の養生装置付きゴンドラは、請求項１〜３のいずれかに記載の構成に加え、前記底部養生部材を前記水平軸直角方向に伸縮可能に構成したことを特徴とするものである。
【００１３】
この発明の請求項５記載の養生装置付きゴンドラは、請求項１〜４のいずれかに記載の構成に加え、前記三面の養生部材の少なくともいずれかに、乗降口を開閉可能に設けてなることを特徴とするものである。
【００１４】
この発明の請求項６記載の養生装置付きゴンドラは、請求項１〜５のいずれかに記載の構成に加え、前記作業ケージに、吊下げ用ワイヤロープの吊り点を規制する吊り点支持部材を設けて構成したことを特徴とするものである。
【発明の効果】
【００１５】
この発明の請求項１記載の養生装置付きゴンドラによれば、構造物から吊り下げられ構造物側面に沿って移動される作業ケージを備え、この作業ケージに、周囲への落下や飛散を防止する養生装置を設けた養生装置付きゴンドラであって、前記作業ケージの構造物側面側の前面を開口させて左右面および後面の三面の作業ケージからの作業範囲に、養生部材を取り付けた養生枠部材を設け、前記作業ケージの前面に、養生部材が取り付けられ鉛直軸回りに開閉可能な一対の側部養生枠部材を設け、前記作業ケージの前記一対の側部養生枠部材の間の下部に、水平軸回りに揺動可能な底部養生部材を設け、これら側部養生枠部材および底部養生部材は前記作業ケージの手摺より上部に設けるとともに、前記側部養生枠部材および前記底部養生部材で囲まれる以外の前記作業ケージの前面に養生部材を取り付けたので、作業ケージの三面の養生部材を取り付けた養生枠部材に加え、前面開口部の鉛直軸回りに開閉する側部養生枠部材と水平軸回りに揺動する底部養生部材とで、構造物側面側に突き出して作業範囲を養生することができ、確実に養生することができるとともに、開閉および揺動させることで、収納状態としてスムーズな作業ケージの移動ができ、構造物にベランダなどの凹凸があっても確実に養生することができる。
また、前記側部養生枠部材および前記底部養生部材を前記作業ケージの手摺より上部に設けて構成したので、作業ケージ上から行う作業範囲を側部養生枠部材と底部養生部材で囲んで養生することができ、緊急作業などでもゴンドラの設置と同時に作業範囲を確実に養生して作業することができる。
【００１６】
この発明の請求項２記載の養生装置付きゴンドラによれば、前記側部養生枠部材の先端縁部に、前記構造物側面に接して隙間をシールする弾性養生板材を設けたので、構造物側面への側部養生枠部材の密着性を高めて確実にシール状態で養生することができる。
【００１７】
この発明の請求項３記載の養生装置付きゴンドラによれば、前記底部養生部材の先端縁部に、前記構造物側面に接して隙間をシールする弾性養生板材を設けたので、構造物側面への底部養生部材の密着性を高めて確実にシール状態で養生することができる。
【００１９】
この発明の請求項４記載の養生装置付きゴンドラによれば、前記底部養生部材を前記水平軸直角方向に伸縮可能に構成したので、構造物のベランダなどの底部下面などに対しても底部養生部材を突き出すように設置することができ、突き出した部分の下面などに対する緊急作業などでもゴンドラの設置と同時に作業範囲を確実に養生して作業することができる。
【００２０】
この発明の請求項５記載の養生装置付きゴンドラによれば、前記三面の養生部材の少なくともいずれかに、乗降口を開閉可能に設けたので、乗降口を開閉して乗り込んだり、降りることができるとともに、閉じた状態で作業することで、確実な養生を行うことができる。
【００２１】
この発明の請求項６記載の養生装置付きゴンドラによれば、前記作業ケージに、吊下げ用ワイヤロープの吊り点を規制する吊り点支持部材を設けて構成したので、吊り点を高めることができ、これによって作業ケージの揺れや傾きを抑えることで、安定した状態の作業ケージとすることができ、作業をやり易くすることができる。
【発明を実施するための最良の形態】
【００２２】
以下、この発明の養生装置付きゴンドラの一実施の形態について添付図面を参照して詳細に説明する。  
図１〜図６はこの発明の養生装置付きゴンドラを作業ケージとしての有人作業用のケージに適用した一実施の形態にかかり、図１は概略側面図、図２は概略正面図、図３は概略平面図、図４は側部養生枠部材の概略正面図および概略平面図、図５は底部養生部材の概略正面図および構成部品の説明図、図６は吊り点支持部材の概略平面説明図である。
【００２３】
この養生装置付きゴンドラ１０は、例えば構造物１の屋上などに固定され側面２に沿って吊り下げたワイヤロープ３を作業ケージ４としてのゴンドラ１１に設けたワインダ５に巻き掛け、その巻き掛け位置を移動しながら昇降される作業ケージ４としてのゴンドラに設置されて落下や飛散を防止するものである。
【００２４】
この養生装置付きゴンドラ１０の養生装置２０は、構造物１の側面２のある位置に停止した作業ケージ４を用いたゴンドラ１１上から作業を行うことが可能な範囲を覆うように設置されるものであり、構造物１の側面２側の前面のみを開口し、左右面および後面の３面を覆うように手摺１２の上部に固定式の固定養生枠部材２１，２２，２３を連結してゴンドラ１１自体の支柱や手摺などを利用してネットなどの養生部材２４が取り付けられるとともに、前面開口の手摺１２より上部には、可動式の側部養生枠部材２５、２５および底部養生部材２６が設置されて構成される。なお、ゴンドラ１１自体の前面にも支柱や手摺などを利用してネットなどの養生部材２４が取り付けられて養生がなされている。
【００２５】
ゴンドラ１１を構成する作業ケージ４には、四隅に、手摺１２に形成した穴を貫通して連結支柱２７が取り付けられ、４本の連結支柱２７の上端部が長短２種類の水平連結材２８、２９で連結されて作業ケージ１１の３側面に作業範囲の高さに対応した矩形の枠が形成され、左右の固定養生枠部材２１，２２および後面の固定養生枠部材２３が構成される。そして、これら左右の固定養生枠部材２１，２２および後面の固定養生枠部材２３と作業ケージ４自体を一体としてネットなどの養生部材２４が取り付けられる。
【００２６】
また、この養生装置２０では、可動式の側部養生枠部材２５、２５を設置するため、作業ケージ４の左右端より内側に、手摺１２と水平連結材２８との間に２本の回動支持支柱３０がボルトやピンなどで取り付けられ、それぞれの回動支持支柱３０にヒンジ３１を介して矩形に枠組みされた側部養生枠部材２５，２５が取り付けられ、構造物１の側面２に垂直な９０度開いた状態と、作業ケージ４の前面と平行な平面状に内側に閉じた状態となる観音開きにできるようにしてある。そして、これら側部養生枠部材２５，２５にネットなどの養生部材２４が取り付けてある。
【００２７】
また、この側部養生枠部材２５，２５の先端縁部には、ゴムなどの弾性板材３２が取り付けられ、構造物１の側面２への密着性を向上できるようにしてある。
【００２８】
さらに、養生装置２０の底部養生部材２６は、左右２つの側部養生枠部材２５，２５の間に設けられ、図５に示すように、作業ケージ４の手摺１２の３箇所に取り付けられる支持ブラケット３３によって前方に突き出す状態と、跳ね上げるようにして閉じた状態の間を揺動できるようにしてある。
【００２９】
この底部養生部材２６では、支持ブラケット３３で手摺１２を上からから囲むようにしてボルトナットで固定され、支持ブラケット３３の上部の回動軸３４に固定枠３５が取り付けられ、前方に突き出した状態で僅かに先端部が高く、作業ケージ４側が低くなるようにしてある。この固定枠３５の内側にスライド枠３６が配置され、固定枠３５のガイド穴３７を貫通する２本のガイドボルト３８をスライド枠３６にねじ込むことで、ガイド穴３７の範囲で伸縮可能とされ、例えば１５０ｍｍ程度伸縮できるようにしてある。
【００３０】
そして、スライド枠３６の上面に金属製の養生板３９が取り付けられるとともに、先端縁部にゴムなどの弾性板材３２が取り付けられ、基端縁部にもゴムなどの長い弾性板材３２が取り付けられて作業ケージ４内に垂れ下がるようにしてある。これにより、先端縁部の弾性板材３２で構造物１の側面２との密着性を向上するとともに、基端縁部の弾性板材３２で底部養生部材２６を前方に突き出すように伸張しても長い弾性板材３２を作業ケージ４内に位置させることで隙間が生じることなく、完全に養生でき、しかも構造物１のベランダ６などの下側に突き出すようにして養生することができる。
【００３１】
また、この養生装置付きゴンドラ１０では、作業ケージ４自体の前面および可動式の側部養生枠部材２５，２５の外側部分にネットなどの養生部材２４が取り付けてある。これにより、可動式の側部養生枠部材２５，２５およびその底部を塞ぐ可動式の底部養生部材２６で囲まれる作業ケージ４からの作業範囲が完全に養生できるとともに、前面開口以外の作業ケージ４も養生部材２４で養生された状態になる。
【００３２】
このように構成した養生装置付きゴンドラ１０では、作業ケージ４を所定の作業位置に昇降した後、可動式の側部養生枠部材２５，２５を外側に開き、これらの間に底部養生部材２６を倒すようにして設置することで、作業ケージ４の前面の作業範囲を養生することができ、例えば構造物１の側面２の補修などを行う場合でも、壁面の削りくずなどを落下させたり、飛散させることを防止でき、作業後に底部養生部材２６を引き起こすようにすることで削りくずなどを作業ケージ４内に回収することができる。
【００３３】
また、作業ケージ４を昇降などの移動する場合には、底部養生部材２６を跳ね上げるようにした後、両側の側部養生枠部材２５，２５を内側に閉じるようにすることで、通常の作業ケージ４と同等の大きさにでき、ベランダ６などが設置されている凹凸がある構造物であってもスムーズに昇降などの移動をすることができる。
【００３４】
さらに、この養生装置付きゴンドラ１０では、底部養生部材２６をスライド枠３６で伸縮できるように構成したので、ベランダ６など表面（構造物の側面）や前面と下面の角部に対して補修などを行う場合に、図１中に示すように、ベランダの下面の下方に突き出して底部養生部材２６を設置することができ、これにより、構造物１の側面が存在しない部分に対しても隙間を生じることなく、養生状態で作業することができる。
【００３５】
また、この養生装置２０では、可動式の側部養生枠部材２５，２５およびその底部を塞ぐ可動式の底部養生部材２６で囲まれる部分を開口状態にできるが、作業ケージ４の他の部分が養生部材２４で完全に覆われた状態となるため、作業ケージ４への乗降がやり難くなることから、図１に示すように、固定養生枠部材２２の養生部材２４に開口部４０が形成され、ファスナ４１で開閉できるようにしてある。
【００３６】
これにより、開口部４０を開くことで乗降が容易となり、ファスナ４１で閉じることで、養生状態を維持することができる。
【００３７】
さらに、この養生装置付きゴンドラ１０では、作業ケージ４内に搭載した２台のワインダ５に巻き掛けた２本のワイヤロープ３，３で作業ケージ４を吊り下げる形式であるため、作業ケージ４内で作業を行う場合の重心位置が、手摺１２の近傍などとなり、作業ケージ４の前面側に作業者が移動すると、重心を中心に前倒し状態に傾くことになるため、図６に示すように、この傾きを抑える吊り点支持部材４２が設けてあり、ワイヤロープ３，３の上部を当てて支持することで傾きを抑えるようにしてある。
【００３８】
この吊り点支持部材４２は、固定枠４３とこれに垂直軸回りに開閉可能な開閉枠４４が取り付けられ、これら固定枠４３および開閉枠４４にそれぞれ支持ローラ４５，４５が取り付けられて、作業ケージ４の前後からワイヤロープ３，３を挟むようになっており、ワイヤロープ３，３を間に位置させて閉じ、開閉枠４４をボルトで固定できるようにしてある。そして、この吊り点支持部材４２を水平連結材２８に連結した２本のアーム４６と補強ビーム４７とで養生装置２０の最上部に取り付けてある。
【００３９】
これにより、作業ケージ４の前後の傾きの支点が、ワイヤロープ３，３が接する支持ローラ４５，４５の位置となり、傾きを大幅に小さくすることができ、作業ケージ４からの作業によって養生装置２０の密着性が損なわれることがなく、密着性を向上して養生することができる。
【図面の簡単な説明】
【００４０】
【図１】この発明の養生装置付きゴンドラを作業ケージとしての有人作業用のケージに適用した一実施の形態にかかる概略側面図である。
【図２】この発明の養生装置付きゴンドラを作業ケージとしての有人作業用のケージに適用した一実施の形態にかかる概略正面図である。
【図３】この発明の養生装置付きゴンドラを作業ケージとしての有人作業用のケージに適用した一実施の形態にかかる概略平面図である。
【図４】この発明の養生装置付きゴンドラを作業ケージとしての有人作業用のケージに適用した一実施の形態にかかる側部養生枠部材の概略正面図および概略平面図である。
【図５】この発明の養生装置付きゴンドラを作業ケージとしての有人作業用のケージに適用した一実施の形態にかかる底部養生部材の概略正面図および構成部品の説明図である。
【図６】この発明の養生装置付きゴンドラを作業ケージとしての有人作業用のケージに適用した一実施の形態にかかる吊り点支持部材の概略平面説明図である。
【符号の説明】
【００４１】
１      構造物
２      側面
３      ワイヤロープ
４      作業ケージ
５      ワインダ
６      ベランダ
１０    養生装置付きゴンドラ
１１    ゴンドラ
１２    手摺
２０    養生装置
２１    固定養生枠部材（左側）
２２    固定養生枠部材（右側）
２３    固定養生枠部材（後面）
２４    養生部材（例えば、ネット）
２５    可動式の側部養生枠部材
２６    可動式の底部養生部材
２７    連結支柱
２８    水平連結材（長い方）
２９    水平連結材（短い方）
３０    回動支持支柱
３１    ヒンジ
３２    弾性板材
３３    支持ブラケット
３４    回動軸
３５    固定枠
３６    スライド枠
３７    ガイド穴
３８    ガイドボルト
３９    金属製の養生板
４０    開口部
４１    ファスナ
４２    吊り点支持部材
４３    固定枠
４４    開閉枠
４５    支持ローラ
４６    アーム
４７    補強ビーム
【図１】
0005086147.tif 000002
【図２】
0005086147.tif 000003
【図３】
0005086147.tif 000004
【図４】
0005086147.tif 000005
【図５】
0005086147.tif 000006
【図６】
0005086147.tif 000007